(57)【要約】【課題】傾斜面でのショット練習を容易に実行可能なゴルフ練習台を提供する。【解決手段】ゴルフ練習台１００は、持ち運び可能であり、ショット面１１０と支持部１２０とを有する。ショット面１１０は、ゴルフ練習者が搭乗可能であり、搭乗したゴルフ練習者がゴルフクラブを用いてショット可能な位置にゴルフボールを載置可能に設けられる。支持部１２０は、ショット面１１０を水平面に対して傾斜させて支持可能に設けられる。【選択図】図１
0003207139.tif 000002
【実用新案登録請求の範囲】
【請求項１】
ゴルフ練習者が搭乗可能であり、搭乗したゴルフ練習者がゴルフクラブを用いてショット可能な位置にゴルフボールを載置可能なショット面と、
前記ショット面を水平面に対して傾斜させて支持可能な支持部と、
を有する持ち運び可能なゴルフ練習台。
【請求項２】
前記支持部には、持ち運ぶ際に把持するための凹部が設けられる請求項１に記載のゴルフ練習台。
【請求項３】
前記ショット面は、載置されるゴルフボールを係止可能な人工芝を含む請求項１または請求項２に記載のゴルフ練習台。
【請求項４】
前記ショット面および前記支持部は樹脂により一体的に成型されている請求項１〜３のいずれか一項に記載のゴルフ練習台。
【考案の詳細な説明】
【技術分野】
【０００１】
本考案は、ゴルフ練習台に関する。
【背景技術】
【０００２】
従来、ゴルフのショット練習は、ゴルフ練習場等に設けられた水平な打席において行われ、練習者が立つ足場も、ボールが接地される面も水平であることが一般的である。
【０００３】
しかし、実際のゴルフコースは、起伏に富んだ形状に構成されており、足場やボールの接地面が水平であることは稀である。したがって、実施にゴルフコースにおいてプレイする場合は、傾斜面上においてショットを行うことが大半である。このため、ゴルフの技量上達のためには、傾斜面上からのショット練習が必須となる。このような問題に関連して、様々な機構により打席を傾斜させてショット練習を行うための技術が知られている（たとえば、特許文献１参照）。
【先行技術文献】
【特許文献】
【０００４】
【特許文献１】特開２０１２−１０５７８８号公報
【考案の概要】
【考案が解決しようとする課題】
【０００５】
しかしながら、上記の特許文献１記載のゴルフ練習台は、打席を昇降および傾斜させるための複雑な機構が設けられているため、高価であり、また設置や移動を容易に行うことができない。このため、ゴルフ練習場は特許文献１に記載されるようなゴルフ練習台を気軽に導入できないという問題がある。また、仮に導入できたとしても、設置や移動が容易でないため、傾斜面でのショット練習専用の打席を設けるといった対応が必要であり、ユーザーが気軽に利用できず、利便性が低いという問題もある。
【０００６】
本考案は、上記事情に鑑みてなされたものであり、傾斜面でのショット練習を容易に実行可能なゴルフ練習台を提供することを目的とする。
【課題を解決するための手段】
【０００７】
ゴルフ練習台は、持ち運び可能であり、ショット面と支持部とを有する。ショット面は、ゴルフ練習者が搭乗可能であり、搭乗したゴルフ練習者がゴルフクラブを用いてショット可能な位置にゴルフボールを載置可能である。支持部は、ショット面を水平面に対して傾斜させて支持可能である。
【考案の効果】
【０００８】
ゴルフ練習台は、持ち運び可能であり、ゴルフ練習者が搭乗しゴルフボールが載置されるショット面は水平面に対して傾斜して支持される。これにより、ゴルフ練習者はゴルフの上達に必須である傾斜面でのショット練習をどこでも容易に実行できる。また、ゴルフ練習台の向きを容易に変えられるため、複雑な機構を設けることなく様々な傾斜面でのショット練習が可能となる。
【図面の簡単な説明】
【０００９】
【図１】ゴルフ練習台の外観を示す斜視図である。
【図２】ゴルフ練習台の概略構成を示す斜視図である。
【図３】ゴルフ練習台の概略構成を示す上面図である。
【図４】ゴルフ練習台の概略構成を示す側面図である。
【図５】ゴルフ練習台を使用して前傾斜面でのショット練習を行う様子を示す図である。
【図６】ゴルフ練習台を使用して左上がり斜面でのショット練習を行う様子を示す図である。
【考案を実施するための形態】
【００１０】
以下、添付した図面を参照して、本考案の実施形態を説明する。なお、図面の説明において同一の要素には同一の符号を付し、重複する説明を省略する。また、図面の寸法比率は、説明の都合上誇張されており、実際の比率とは異なる場合がある。
【００１１】
［ゴルフ練習台１００の構成］
図１は、ゴルフ練習台の外観を示す斜視図である。図２は、ゴルフ練習台の概略構成を示す斜視図である。図３は、ゴルフ練習台の概略構成を示す上面図である。図４は、ゴルフ練習台の概略構成を示す側面図である。
【００１２】
図１に示すように、ゴルフ練習台１００は、ショット面１１０および支持部１２０を有する。ショット面１１０は、ゴルフ練習者が搭乗する面であると共に、ゴルフボールが載置される面である。ショット面１１０は、ショット面１１０に搭乗したゴルフ練習者がゴルフクラブを用いてショット可能な位置にゴルフボールを載置可能な大きさに形成される。支持部１２０は、ショット面１１０を水平面に対して傾斜させて支持する。支持部１２０、たとえば床面に載置される台状の部材である。ゴルフ練習台１００は、たとえば平面視して略正方形状に形成され、縦横の長さはそれぞれ１ｍ程度である。ゴルフ練習台１００の高さは１０ｃｍ〜３０ｃｍ程度、重さは数ｋｇ〜３０ｋｇ程度であり、持ち運び可能なサイズおよび重量で形成される。以下、各構成について詳細に説明する。
【００１３】
図１、３、４に示すように、ショット面１１０には、載置したボールを係止し、ボールが斜面を転がることを防止する人工芝１１１が設けられている。
【００１４】
図２〜４に示すように、支持部１２０は、底部１２１、側壁１２２、１２３および後壁１２４を有する。
【００１５】
底部１２１は、上面視して略正方形状に形成される。底部１２１の１辺の長さは、たとえば１ｍ程度である。底部１２１の一対の端辺にはそれぞれ側壁１２２、１２３が設けられる。側壁１２２、１２３が設けられない他の一対の端辺のうちの一方には後壁１２４が設けられ、他方には壁部が設けられずにそのままショット面１１０に連続する。
【００１６】
側壁１２２、１２３は、それぞれ正面視して横長の直角三角形状であり、それぞれ直角の頂点部分が底部１２１および後壁１２４との交点に位置するように立設されている。側壁１２２、１２３の斜辺は、ショット面１１０を支持、あるいはショット面１１０を構成する。側壁１２２、１２３の鋭角の頂点の角度は、たとえば１０度〜２０度程度であり、当該角度がショット面の水平面からの傾斜角度となる。たとえば、側壁１２２、１２３の鋭角の頂点の角度が、１５度に形成される場合、ショット面１１０は側壁１２２、１２３と平行な方向において水平面から１５度傾斜する。側壁１２２、１２３それぞれの中間部には、ゴルフ練習台１００を持ち運ぶ際に容易に把持可能とするための直方体状の凹部１２５、１２６がそれぞれ設けられる。
【００１７】
後壁１２４は、側面視して横長の矩形状であり、短手方向における両端の一方、すなわち、一方の長辺が底部１２１と接するように立説されている。後壁１２４の他方の長辺はショット面１１０に連続する。たとえば、後壁１２４の長辺の長さが１ｍ、底部１２１の各辺の長さが１ｍ、側壁１２２、１２３の鋭角の頂点の角度が１５度である場合、後壁１２４の短辺の長さは、１ｍ×ｔａｎ１５°の計算式により、約０．２７ｍとして算出できる。
【００１８】
ゴルフ練習台１００を構成するショット面１１０および支持部１２０は、たとえば、樹脂を用いて一体的に成型される。ゴルフ練習台１００の内部は、中実に形成されてもよく、あるいは中空に形成されてもよい。中空に形成される場合、使用時の反動によるズレを防止するために、開口部等から内部に重りを充填可能としてもよい。たとえばゴルフ練習台１００は、大型の３Ｄプリンターを用いて形成されてもよい。
【００１９】
底部１２１の床面と接する面には、ゴム等によって形成される滑り止め部材（不図示）が設けられてもよい。また、底部１２１の四隅には、ネジ機構等により四隅の高さを調整可能なガタツキ防止のためのアジャスター（不図示）が設けられてもよい。
【００２０】
ショット面１１０の人工芝１１１は、たとえば、ポリエチレン、ポリプロピレン、その他の耐摩耗性プラスチック樹脂等の摩耗に強い素材によって形成される。人工芝１１１は、支持部１２０およびショット面１１０と共に一体的に成型されてもよい。あるいは、人工芝１１１は、ショット面１１０から着脱可能となるように構成されてもよい。これにより、たとえば芝の長さや材質が異なる人工芝１１１に交換して、ラフやウェアウェイ等、異なる様々な状況でのショットを想定して練習することができる。
【００２１】
［ゴルフ練習台１００の使用方法］
次に、ゴルフ練習台１００の使用方法について説明する。
【００２２】
図５は、ゴルフ練習台を使用して前傾した斜面でのショット練習を行う様子を示す図である。図６は、ゴルフ練習台を使用して左上がりの斜面でのショット練習を行う様子を示す図である。
【００２３】
まず、図５に示すように、ゴルフ練習者Ｇは、ゴルフ練習台１００の後壁１２４を背にしてショット面１１０上の後壁１２４側に立つ。そして、ゴルフ練習者Ｇは、ショット面１１０上において後壁１２４とは反対側である前端側にボールＢを載置する。これにより、ゴルフ練習者Ｇは、前傾した斜面でのショット練習を行うことができる。
【００２４】
また、図６に示すように、ゴルフ練習者Ｇは、ゴルフ練習台１００の側壁１２３側に身体の正面を向けて、側壁１２３とは反対側である側壁１２２側に立つ。そして、ゴルフ練習者Ｇは、ショット面１１０上において側壁１２３側にボールＢを載置する。これにより、ゴルフ練習者Ｇは、左上がりの斜面でのショット練習を行うことができる。
【００２５】
このように、ゴルフ練習者Ｇは、ゴルフ練習台１００の向きを変えて、ゴルフ練習者ＧおよびボールＢとゴルフ練習台１００との位置関係を変えることにより、様々な斜面でのショット練習を行うことができる。たとえば、後傾した斜面や左下がりの斜面、右上がりの斜面、右下がりの斜面等でのショット練習もゴルフ練習台１００の向きを変えることによって実行可能である。
【００２６】
以上のように、本実施形態のゴルフ練習台１００によれば、以下の効果が得られる。
【００２７】
本実施形態では、ゴルフ練習台１００は、持ち運び可能であり、ショット面１１０と支持部１２０とを有し、ショット面１１０は支持部１２０によって水平面に対して傾斜して支持される。したがって、ゴルフの上達に必須である傾斜面でのショット練習をどこでも容易に実行できる。また、ゴルフ練習台１００の向きを容易に変えられるため、複雑な機構を設けることなく様々な傾斜面でのショット練習が可能となる。
【００２８】
また、ゴルフ練習台１００の支持部１２０には、持ち運ぶ際に把持するための凹部１２５、１２６が設けられている。これにより、ゴルフ練習台１００をより容易に持ち運ぶことができる。
【００２９】
また、ゴルフ練習台１００のショット面１１０には、載置されるゴルフボールを係止可能な人工芝１１１が設けられている。これにより、ゴルフボールをショット面１１０上のどこに置いても転がらずに静止させることができる。したがって、ゴルフ練習台１００の向きを変えて様々な傾斜面でのショット練習を行うことができる。
【００３０】
また、ゴルフ練習台１００のショット面１１０および支持部１２０は樹脂により一体的に成型されている。これにより、ゴルフ練習台１００の接合部をなくすことができ、耐久性を向上させられる。さらに、軽量化を図ることができるため、持ち運びや向きの変更をより容易化できる。
【００３１】
なお、本実施形態では、ショット面１１０の傾斜角度が固定されている例について説明したが、これに限定されない。ショット面１１０の傾斜角度は変更可能であってもよい。たとえば、ショット面１１０の下部にエアーシリンダーやネジ機構等による昇降機構を設けることによってショット面１１０の傾斜角度を変更できる。これにより、より変化に富んだ斜面に対応したショット練習を実行できる。
【００３２】
また、本実施形態では、ゴルフ練習台１００の大きさが１ｍ四方程度である例について説明したが、これに限定されない。ゴルフ練習台１００の大きさは、練習者がゴルフ練習台１００の上に立って、ゴルフ練習台１００の上に載置されたボールをゴルフクラブによって打撃できる程度のサイズであればよい。
【００３３】
また、本実施形態では、支持部１２０はショット面１１０を上面として有する台状の構成を有するものとして説明したが、支持部１２０の形態はこれに限定されない。たとえば、支持部１２０は、ショット面１１０に接続される独立した複数の脚部によって構成されてもよい。
【００３４】
また、本実施形態では、ゴルフ練習台１００の形状が上面視して正方形状である例について説明したが、ゴルフ練習台１００の形状はこれに限定されない。ゴルフ練習台１００の形状は、上面視して長方形状であってもよく、円形状、多角形状等、様々な形状を有することができる。
【符号の説明】
【００３５】
１００  ゴルフ練習台、
１１０  ショット面、
１１１  人工芝、
１２０  支持部、
１２１  底部、
１２２、１２３  側壁、
１２４  後壁、
１２５、１２６  凹部、
Ｇ  ゴルフ練習者、
Ｂ  ゴルフボール。
【図１】
0003207139.tif 000003
【図２】
0003207139.tif 000004
【図３】
0003207139.tif 000005
【図４】
0003207139.tif 000006
【図５】
0003207139.tif 000007
【図６】
0003207139.tif 000008